(57)【要約】【課題】改修後の新設床部から下階へと伝達される重量衝撃振動を軽減させ、重量衝撃音遮音性能を向上させることができる改修用二重床構造を提供することを目的としている。【解決手段】既存梁４および既存スラブ６を有する既存構造物内に形成され、既存スラブ６上方に隙間をあけて敷設される新設床部２０と新設床部２０を支持する新設支持部９とから構成されている改修用二重床構造において、新設支持部９は既存梁４上面に配設されている。【選択図】      図１
2004308204.tif 000002
【特許請求の範囲】
【請求項１】
既存梁および既存スラブを有する既存構造物内に形成され、該既存スラブ上方に隙間をあけて敷設される新設床部と該新設床部を支持する新設支持部とから構成されている改修用二重床構造において、
前記新設支持部は、前記既存梁の上面に配設されていることを特徴とする改修用二重床構造。
【請求項２】
請求項１記載の改修用二重床構造において、
前記既存梁の上面に配設される前記新設支持部の位置は、前記既存梁の端部に配置されていることを特徴とする改修用二重床構造。
【請求項３】
請求項１または２記載の改修用二重床構造において、
前記新設支持部には、前記床部から伝達される振動を吸収する弾性材が備えられていることを特徴とする改修用二重床構造。
【発明の詳細な説明】
【０００１】
【発明の属する技術分野】
本発明は、既存構造物改修後の居室内の床を形成する改修用二重床構造に関する。
【０００２】
【従来の技術】
近年、事務所ビルを改修して集合住宅へ用途変更する計画が多数立案されているが、通常、事務所ビルとして設計施工された建物の多くは、スラブ厚さが１２ｃｍ程度に設計されているか、或いはＵ型のデッキスラブからスラブが形成されている。この場合、直床や通常の二重床により居室内の床を形成すると上階の床衝撃による振動は下階にそのまま伝達されるため、床を形成する床基材と床基材を支持する根太との間に弾性シートを介在させる方法が提案されている。これによって、弾性シートが上階の床衝撃による振動を吸収して、下階への床重量衝撃音を軽減することができる（例えば、特許文献１参照。）。
【０００３】
【特許文献１】
特開平９−８８３２０号公報  （第３頁、第１図）
【０００４】
【発明が解決しようとする課題】
しかしながら、上記した従来の方法では、弾性シートにより吸収し切れなかった床重量衝撃音は根太からスラブ上に立設された支持脚を介してスラブに伝達され、スラブから下階に伝達される。このため、既存スラブの遮音性能が低い場合には、集合住宅に必要な床衝撃音遮音性能が確保できない場合があるという問題が存在する。
【０００５】
本発明は、上記した従来の問題が考慮されたものであり、遮音性能の低い既存スラブの場合にも、改修後の新設床部から下階へと伝達される重量衝撃振動を軽減させ、重量衝撃音遮音性能を向上させることができる改修用二重床構造を提供することを目的としている。
【０００６】
【課題を解決するための手段】
請求項１記載の発明は、既存梁および既存スラブを有する既存構造物内に形成され、該既存スラブ上方に隙間をあけて敷設される新設床部と該新設床部を支持する新設支持部とから構成されている改修用二重床構造において、前記新設支持部は、前記既存梁の上面に配設されていることを特徴としている。
【０００７】
このような特徴により、上階の床衝撃による振動は、新設床部から新設支持部を介して既存梁に伝達され、既存梁から既存スラブに伝達されるため、既存スラブに直接振動が伝達されない。
【０００８】
請求項２記載の発明は、請求項１記載の改修用二重床構造において、前記既存梁の上面に配設される前記新設支持部の位置は、前記既存梁の端部に配置されていることを特徴としている。
【０００９】
このような特徴により、新設床部、新設支持部、新設床部上の人および載置物の重量は既存梁の端部に作用する。
【００１０】
請求項３記載の発明は、請求項１または２記載の改修用二重床構造において、前記新設支持部には、前記床部から伝達される振動を吸収する弾性材が備えられていることを特徴としている。
【００１１】
このような特徴により、上階の床衝撃による振動は弾性材に吸収され、既存梁に伝達される振動は軽減される。
【００１２】
【発明の実施の形態】
以下に本発明に係る改修用二重床構造の実施の形態について、図面に基づいて説明する。本実施の形態は事務所として設計された既存建物１を集合住宅に改修する場合であり、図１は既存建物１に住宅用の新たな床を形成する改修用二重床２が設けられた状態を表す断面図であり、図２は改修用二重床２を既存建物１内に配設する状態を表す平面図であり、図３は図２に示す改修用二重床２のＡ−Ａ断面の部分断面図である。なお、図２における左右方向をＸ方向とし、上下方向をＹ方向とする。
【００１３】
図１、図２、図３に示すように、既存建物１は、均等に間隔をあけて立設された既存柱３と、隣り合う既存柱３の間に架設されてＸ方向およびＹ方向にそれぞれ延在する既存大梁４と、対向する既存大梁４の中間部の間に架設されてＸ方向およびＹ方向にそれぞれ延在する既存小梁５と、既存大梁４および既存小梁５で囲まれた範囲に形成される既存スラブ６とから構成されている。図２における下側の既存建物１内にはバルコニー７が形成され、図２における上側の既存建物１内には共用廊下８が形成されている。
【００１４】
バルコニー７側のＹ方向に延在する既存大梁４の端部上面、共用廊下８側のＹ方向に延在する既存大梁４の中間部上面、およびＹ方向に延在する既存小梁５が接合されるＸ方向に延在する既存大梁４の仕口部上面には、矩形盤状の新設支持部９がそれぞれ設けられている。新設支持部９は厚さ２０ｍｍ程度の板状防振ゴム等の弾性材１０から構成されており、弾性材１０と既存大梁４との間には厚さ１０ｍｍ程度の均しモルタル１１が介在されている。新設支持部９は既存大梁４の上面にのみ配設されており、既存スラブ６上には配設されていない。
【００１５】
Ｙ方向に延在する既存大梁４およびＹ方向に延在する既存小梁５の上方には、Ｙ方向に延在するＨ型鋼からなる大引き材１２が隙間をあけてそれぞれ配置されている。大引き材１２はそれぞれ弾性材１０（新設支持部９）によって支持されており、大引き材１２の下フランジ部１２ａ下面と弾性材１０上面とは接合されている。弾性材１０の四隅には図示せぬ貫通孔がそれぞれ形成されており、この貫通孔にはアンカーボルト１３がそれぞれ挿通されている。アンカーボルト１３の下端は既存大梁４内に定着されており、上端は大引き材１２の下フランジ部１２ａに形成された図示せぬ貫通孔に挿通されている。アンカーボルト１３の上端にはナット１４が螺合されており、ナット１４はワッシャ１５を介して下フランジ部１２ａ上方に固定されている。
【００１６】
平行する複数の大引き材１２の間には、Ｘ方向に延在するＣ型チャンネルからなる根太材１６が既存スラブ６と隙間をあけて複数架設されている。複数の根太材１６は例えば６００ｍｍ程度の一定の間隔をあけて配列されており、根太材１６の両端面は大引き材１２のウェブ部１２ｂに対向されている。根太材１６が接合される大引き材１２のウェブ部１２ｂには、Ｘ方向に張り出すブラケット部１７が形成されており、ブラケット部１７の先端に根太材１６の端部がボルト固定により継手されている。また、平行する複数の根太材１６の間には、Ｙ方向に延在する棒状の合板受け材１８が複数架設されている。複数の合板受け材１８は間隔をあけて配列されており、合板受けの上方にはフローリング板からなる床基材１９が敷設されている。なお、上記した大引き材１２、根太材１６、合板受け材１８および床基材１９によって、既存スラブ６に隙間をあけて敷設される新設床部２０は構成されている。
【００１７】
次に、上記した改修用二重床２を既存建物１に設置して、集合住宅の新たな床を形成する方法について説明する。
【００１８】
まず、図３に示すように、新設支持部９（弾性材１０）が形成される複数の既存大梁４上面にアンカーボルト１３を二列４本づつそれぞれ打ち込み、既存大梁４上面に複数のアンカーボルト１３を立設する。アンカーボルト１３は下端が１００ｍｍ以上定着するとともに上端が十分に（６０ｍｍ程度）突出する深さまで打ち込み、接着剤によってアンカーボルト１３下端と既存大梁４のコンクリート躯体とを強固に固定する。
【００１９】
次に、弾性材１０の四隅に形成された図示せぬ貫通孔に既存大梁４上面から突設したアンカーボルト１３の上端をそれぞれ挿通させ、既存大梁４の上方に弾性材１０を１０ｍｍ程度の隙間をあけて設置して新設支持部９を形成する。次に、大引き材１２に形成された図示せぬ貫通孔にアンカーボルト１３の上端をそれぞれ挿通させ、大引き材１２を新設支持部９（弾性材１０）上に架設させる。そして、大引き材１２の下フランジ部１２ａ上に突設したアンカーボルト１３の上端にワッシャ１５を嵌め込み、その上からナット１４を螺合させて大引き材１２を新設支持部９に固定する。
【００２０】
次に、アンカーボルト１３が立設された複数の既存大梁４上面にモルタル注入口が設けられた図示せぬ枠をそれぞれ形成する。図示せぬ枠は既存大梁４と弾性材１０との隙間を囲うように配置し、モルタル注入口から既存大梁４と弾性材１０との間に無収縮を流し込む。適当な養生期間をおき、均しモルタル１１が固化した後に図示せぬ枠を脱型し、均しモルタル１１を形成する。
【００２１】
次に、平行する大引き材１２の間に複数の根太材１６をそれぞれ架設させる。複数の根太材１６を間隔をあけて配置し、複数の根太材１６の両端部を大引き材１２のブラケット部１７にそれぞれボルト固定する。次に、根太材１６上にＹ方向に延在する合板受け材１８を間隔をあけて架設し、合板受け材１８上に床基材１９を敷設する。合板受け材１８は根太材１６上面に固定し、床基材１９は合板受け材１８上面に固定する。
【００２２】
上記した構成からなる改修用二重床構造によれば、新設支持部９は既存大梁４上面に設けられているため、改修用二重床２が形成された上階の床衝撃による振動は、床基材１９から合板受け材１８を介して根太材１６に伝達され、根太材１６からブラケット部１７を介して大引き材１２に伝達され、大引き材１２から新設支持部９を介して既存大梁４に伝達され、既存大梁４から既存スラブ６に伝達される。このため、既存スラブ６に直接振動が伝達されず、改修用二重床２からなる新設の床の重量衝撃音遮音性能を向上させることができる。
【００２３】
また、バルコニー７側の既存大梁４の端部上面に新設支持部９が形成されているため、新設床部２０、新設支持部９、新設床部２０上の人および載置物の重量は既存梁の端部に作用する。このため、既存大梁４中間部に新設支持部９を設ける場合に比べて既存大梁４にかかるモーメントは軽減され、既存大梁４にかかる負担は軽減することができる。また、新設支持部９から伝達される振動は既存梁の端部から既存スラブ６の出隅部分に伝達されるため、既存スラブ６に伝達される振動は低減され、下階に伝わる重量衝撃音を軽減することができる。
【００２４】
また、新設支持部９は弾性材１０から構成されているため、上階の床衝撃による振動は弾性材１０に吸収され、既存大梁４に伝達される振動は軽減される。これによって、下階に伝わる重量衝撃音を軽減することができる。
【００２５】
以上、本発明に係る改修用二重床構造の実施の形態について説明したが、本発明は上記した実施の形態に限定されるものではなく、その趣旨を逸脱しない範囲で適宜変更可能である。例えば、上記した実施の形態では新設床部２０を大引き材１２と根太材１６と合板受け材１８と床基材１９とから構成されているが、本発明は上記した構成以外からなる新設床部２０でもよく、根太材１６に直接床基材１９を張り付ける構成のものでもよく、所定の強度を有する１枚のパネル材からなる構成でもよい。
【００２６】
また、上記した実施の形態では、既存大梁４に定着したアンカーボルト１３によって、既存大梁４と新設支持部９とを固定するとともに、新設支持部９と大引き材１２とを固定しているが、本発明は、既存大梁４と新設支持部９との間および新設支持部９と大引き材１２（新設床材）との間に接着剤を塗布して固定してもよく、アンカーボルト１３と接着剤とを併用してもよい。また、上記した実施の形態では新設支持部９は既存大梁４の上面にのみ配設されているが、本発明は新設支持部９を既存小梁５の上面に配設させてもよく、また複数の新設支持部９のうち何本かの新設支持部９を既存スラブ上に配置させてもよい。
【００２７】
さらに、上記した実施の形態では、新設支持部９は弾性材１０から構成されているが、本発明は、大引き材１２（新設床材）と接合される新設支持部９の上端部に弾性材１０を形成してもよく、また既存大梁４の上面と接合する新設支持部９の下端部に弾性材１０を形成してもよく、または新設支持部９の中間部に弾性材１０を介在させてもよい。さらに、新設支持部９の上端部および下端部および中間部の全てに弾性材１０を形成させてもよく、つまり、新設支持部９の上端部と下端部と中間部との何れか一箇所に弾性材１０を形成してもよい。
【００２８】
【発明の効果】
以上のとおり説明した本発明に係る改修用二重床構造によれば、上階の床衝撃による振動は、新設床部から新設支持部を介して既存梁に伝達され、既存梁から既存スラブに伝達されるため、既存スラブに直接振動が伝達されない。これによって、既存スラブに伝達される振動は低減され、新たに形成される新設の床の重量衝撃音遮音性能を向上させることができる。
【図面の簡単な説明】
【図１】本発明に係る改修用二重床構造を説明するための断面図である。
【図２】本発明に係る改修用二重床構造を説明するための平面図である。
【図３】本発明に係る改修用二重床構造を説明するための図２に示すＡ−Ａ断面の部分断面図である。
【符号の説明】
１  既存建物（既存構造物）
２  改修用二重床
４  既存大梁（既存梁）
５  既存小梁（既存梁）
６  既存スラブ
９  新設支持部
１０  弾性材
２０  新設床部
【図１】
2004308204.tif 000003
【図２】
2004308204.tif 000004
【図３】
2004308204.tif 000005